(57)【要約】      （修正有）【課題】片手でグラスをコースターに置いたり、取り外したりすることが出来るとともに、ステムの長いワイングラスを初めとするグラスの転倒を簡単、小型、低価格で防止することが出来るグラスコースターを提供する。【解決手段】コースターに載せるグラス１１の底面に吸着面１を向けて吸盤を配置し、吸盤の周辺に、手でグラスを押し下げてグラスの底面に吸盤を吸着させ、かつグラスとグラスの底面に吸着した吸盤を共に押し戻す弾性を有するグラスクッション６を配置する。さらに、吸盤の所定以上の垂直方向の押し下げを規制し、水平方向への移動を阻止するとともに、吸着を解除した時の反動、再吸着を防ぐために吸盤との間に所定距離を設けたストッパー７を配置し、かつグラスとの吸着を解除する解除構造を備える。【選択図】図１
0003179120.tif 000002
【実用新案登録請求の範囲】
【請求項１】
コースターに載せるグラスの底面に吸着面を向けて吸盤を配置し、吸盤の周辺に、手でグラスを押し下げてグラスの底面に吸盤を吸着させ、かつグラスとグラスの底面に吸着した吸盤を共に押し戻す弾性を有するグラスクッションを配置し、吸盤の所定以上の垂直方向の押し下げを規制し、水平方向への移動を阻止するとともに、吸着を解除した時の反動、再吸着を防ぐために吸盤との間に所定距離を設けたストッパーを配置し、かつグラスとの吸着を解除する解除構造を備えることにより、一連の操作を全て片手で行うことが出来、コースター上のグラスの転倒を防止することが出来る、簡単、小型、低価格なグラスコースター。
【請求項２】
吸盤に複数の剥離羽を配置して解除構造により吸着を解除する、請求項１に記載されるグラスコースター。
【考案の詳細な説明】
【技術分野】
【０００１】コースターに載せるグラスの底面に吸着面を向けて吸盤を配置し、吸盤の周辺に、手でグラスを押し下げてグラスの底面に吸盤を吸着させ、かつグラスとグラスの底面に吸着した吸盤を共に押し戻す弾性を有するグラスクッションを配置し、吸盤の所定以上の垂直方向の押し下げを規制し、水平方向への移動を阻止するとともに、吸着を解除した時の反動、再吸着を防ぐために吸盤との間に所定距離を設けたストッパーを配置し、かつグラスとの吸着を解除する解除構造を備えるグラスコースター。
【背景技術】
【０００２】冷えたままワインを飲むために持ち手のステムが長いワイングラスはグラスの中でも特に転倒し易く、転倒を防止するために機構的にステムを固定したり、ワイングラスを支えるフットを挟み込んで押さえる構造など種々のコースターが提案されているが、何れも片手でワイングラスを扱うことは難しく、構造は複雑で操作が煩わしい。
【考案が解決しようとする課題】
【０００３】片手でグラスをコースターに置いたり、取り外したりすることが出来るとともに、ステムの長いワイングラスを初めとするグラスの転倒を簡単、小型、低価格で防止することが出来るグラスコースターを実現する。
【課題を解決するための手段】
【０００４】コースターに載せるグラスの底面に吸着面を向けて吸盤を配置し、吸盤の周辺に、手でグラスを押し下げてグラスの底面に吸盤を吸着させ、かつグラスとグラスの底面に吸着した吸盤を共に押し戻す弾性を有するグラスクッションを配置し、吸盤の所定以上の垂直方向の押し下げを規制し、水平方向への移動を阻止するとともに、吸着を解除した時の反動、再吸着を防ぐために吸盤との間に所定距離を設けたストッパーを配置し、かつグラスとの吸着を解除する解除構造を備えるグラスコースター。
【考案の効果】
【０００５】コースターに載せたグラスを手で押し下げることにより、グラスクッションの弾性により吸盤はグラスとともに押し下げられ、ストッパーにより所定以上の垂直方向の押し下げが規制されるため、吸盤は押し潰されて気密室内の空気が排出されてグラスの底面に吸着するとともに、グラスの押し下げを止めるとグラスクッションの戻り力により、吸盤はグラスに吸着した状態でグラスと共に垂直方向に押し戻され、かつストッパーにより水平方向への移動や首振りを阻止されてグラスの転倒が防がれるとともに、この状態で解除構造を操作することにより剥離羽の作用で気密室に空気が流入されて吸盤はグラスの底から分離されるが、吸盤とストッパーの間には所定の距離が設けられているため、吸着解除に伴う反動でグラスが倒れたり、再吸着が防がれることにより、一連の操作は全て片手で行うことが出来、グラスの転倒を確実に防止することが出来る。
【考案を実施するための形態】
【０００６】吸盤の構成は図２に示すように、吸着面１、ドーム状気密室２、剥離羽３，軸５で構成され材質は塩化ビニールなどの軟質樹脂が一般的である。吸着対象に吸着面を当てて軸を押して気密室を押し潰すことにより気密室内部の空気が押し出されて真空となるため吸着対象に吸盤は吸着する。吸着した状態で剥離羽を引くことにより気密室に空気が流入して真空が解除されるため吸着対象から吸盤は外れる。図１に本考案に基づくワイングラスコースターの一実施例を示すが、本考案は吸盤の特質を旨く利用したものであり、吸盤の吸着面１はグラス１１の底面を向いており、円柱形の軸５は円筒形のストッパー７に挿入されている。このためコースターの上にグラス１１を置いた状態では吸盤とグラスは分離しているが、この状態でグラスを押し下げると吸盤も矢印４に示す垂直方向に押し下げられ、吸盤の気密室２はストッパー７で止められるために押し潰されて真空となりグラスの底面に吸着する。
【０００７】考案の最大のポイントはグラス、気密室、軸、ストッパーの関係に有り、この関係を図３，図４，図５、図６に基づいて説明する。図３はコースターの上にグラスを置いた状態を示し、グラスと吸盤は非吸着の状態にある。図４は手でグラスとともに吸盤をストッパー７まで一杯に押し下げた状態を示しており、吸盤がストッパーにより規制されて所定以上に押し下げられないため気密室は完全に潰され、吸盤はグラスの底面に吸着する。この状態でグラスの押し下げを止めた状態が図５であり、吸盤はグラスとともにグラスクッション６により押し戻されているが、この状態ではまだグラスと吸盤は吸着されており、吸盤の軸はストッパーの円筒の中に挿入されているため、吸盤、ならびにグラスが水平方向にずれることは無く、首も振りにくいためコースター上のグラスの転倒は防がれる。この状態で図６に示すごとく解除ボタン９，連結材８，剥離羽３などで形成される解除構造の解除ボタン９を押すことにより、剥離羽で吸盤が捲られて気密室に空気が送り込まれ、グラスと吸盤は分離されて図３の状態に戻りグラスを手に取る事が出来る。１０は解除ボタンを戻すためのバネ材を示す。
【０００８】吸盤がグラスの底面に吸着した図５の状態で吸盤は真空状態で潰されており、ストッパーを吸盤の圧縮度合い、反発力などを考慮した距離だけ離して配置することにより、吸着解除により気密室に急激に空気が送り込まれて吸盤がグラスから離れる時に、反動によりグラスが押し上げられて倒れたり、再吸着することは無い。より解かりやすく説明をすれば、グラスが吸盤から離れるのではなく、吸盤がグラスから離れる動きをさせる。
【実施例】
【０００９】図１に示す実施例では、コースターのプレート１２は厚さ０．５ｍｍのアルミで径は９０ｍｍ、コースター全体の厚さは２０ｍｍ、吸盤はφ４０ｍｍの塩化ビニール、グラスクッションはウレタン・スポンジ、連結材はナイロン紐、ストッパーは円筒形プラスチック、解除ボタンのバネ材はウレタン・スポンジで構成した。グラスクッションやバネ材はゴムや金属バネでも良く、吸盤の剥離羽と連結材は一体で構成することも可能である。ストッパーに関しては、円筒に限るものではなく吸盤の押し下げ方向の規制、水平方向の規制などが実現されれば良く、解除構造に関しては、解除ボタンとはせずにコースターの上でグラスを斜めに傾けて押して剥離羽を作動させるなど剥離羽を作動させる方法は各種考えられる。さらに剥離羽は一つに限定されるものではなく、図７に示すごとく複数個配置してそれぞれに解除ボタンを設けて全方向から解除が出来るようにすることも可能であるなど、構造、機能、さらには形状、ディメンジョン、各種素材などは、本考案の趣旨を逸脱しない範囲であれば種々変形実施が可能である。
【図面の簡単な説明】
【００１０】
【図１】本考案によるワイングラスコースターの概略構成図
【図２】一般的な吸盤の構成図
【図３】ワイングラスコースターにグラスを置いた状態を示す概念図。
【図４】グラスを押し下げた状態の概念図
【図５】グラスクッションの戻り力でグラスと吸盤が戻された状態を示す概念図
【図６】解除構造を操作して吸盤の気密室に空気が流入する状態を示す概念図
【図７】剥離羽を複数備える吸盤の構成図
【符号の説明】  １  吸着面
２  気密室
３  剥離羽
４  垂直押し下げ方向
５  軸
６  グラスクッション
７  ストッパー
８  連結材
９  解除ボタン
１０  バネ材
１１  グラス
１２  プレート
Ｌ  吸盤とストッパーとの間の距離
【図１】
0003179120.tif 000003
【図２】
0003179120.tif 000004
【図７】
0003179120.tif 000005
【図３】
0003179120.tif 000006
【図４】
0003179120.tif 000007
【図５】
0003179120.tif 000008
【図６】
0003179120.tif 000009
【手続補正書】
【提出日】平成24年8月17日(2012.8.17)
【手続補正１】
【補正対象書類名】実用新案登録請求の範囲
【補正対象項目名】全文
【補正方法】変更
【補正の内容】
【実用新案登録請求の範囲】
【請求項１】
コースターに載せるグラスの底面に吸着面を向けて吸盤を配置し、グラスを手で押し下げることにより、グラスの底面で吸盤を押してグラスの底面に吸盤を吸着させるための垂直方向への吸盤の移動、および水平方向への吸盤の移動などを規制するストッパー、吸着を解除した時の反動、再吸着を防ぐためにグラスの底面に吸着した吸盤をグラスと共に押し戻して吸盤と垂直方向への移動規制との間に隙間を設けるとともに、コースター上のグラスの揺れを防ぐための弾性を有するグラスクッション、ならびに、剥離羽の操作によりグラスへの吸盤の吸着を解除する解除構造を備えることにより、一連の操作を全て片手で行うことが出来、コースター上のグラスの転倒を防止することが出来る、簡単、小型、低価格なグラスコースター。
【請求項２】
吸盤に複数の剥離羽を配置して解除構造により吸着を解除する、請求項１に記載されるグラスコースター。
【手続補正２】
【補正対象書類名】明細書
【補正対象項目名】０００１
【補正方法】変更
【補正の内容】
【０００１】コースターに載せるグラスの底面に吸着面を向けて吸盤を配置し、グラスを手で押し下げることにより、グラスの底面で吸盤を押してグラスの底面に吸盤を吸着させるための垂直方向への吸盤の移動、および水平方向への吸盤の移動などを規制するストッパー、吸着を解除した時の反動、再吸着を防ぐためにグラスの底面に吸着した吸盤をグラスと共に押し戻して吸盤と垂直方向への移動規制との間に隙間を設けるとともに、コースター上のグラスの揺れを防ぐための弾性を有するグラスクッション、ならびに、剥離羽の操作によりグラスへの吸盤の吸着を解除する解除構造を備えるグラスコースター。
【手続補正３】
【補正対象書類名】明細書
【補正対象項目名】０００４
【補正方法】変更
【補正の内容】
【０００４】コースターに載せるグラスの底面に吸着面を向けて吸盤を配置し、グラスを手で押し下げることにより、グラスの底面で吸盤を押してグラスの底面に吸盤を吸着させるための垂直方向への吸盤の移動、および水平方向への吸盤の移動などを規制するストッパー、吸着を解除した時の反動、再吸着を防ぐためにグラスの底面に吸着した吸盤をグラスと共に押し戻して吸盤と垂直方向への移動規制との間に隙間を設けるとともに、コースター上のグラスの揺れを防ぐための弾性を有するグラスクッション、ならびに、剥離羽の操作によりグラスへの吸盤の吸着を解除する解除構造を備えるグラスコースター。
【手続補正４】
【補正対象書類名】明細書
【補正対象項目名】０００６
【補正方法】変更
【補正の内容】
【０００６】吸盤の構成は図２に示すように、吸着面１、ドーム状気密室２、剥離羽３，軸５で構成され材質は塩化ビニールなどの軟質樹脂が一般的である。吸着対象に吸着面を当てて軸を押して気密室を押し潰すことにより気密室内部の空気が押し出されて真空となるため吸着対象に吸盤は吸着する。吸着した状態で剥離羽を引くことにより気密室に空気が流入して真空が解除されるため吸着対象から吸盤は外れる。図１に本考案に基づくワイングラスコースターの一実施例を示すが、本考案は吸盤の特質を旨く利用したものであり、吸盤の吸着面１はグラス１１の底面を向いており、円柱形の軸５は円筒形のストッパー７に挿入されている。このためコースターの上にグラス１１を置いた状態では吸盤とグラスは分離しているが、この状態でグラスを押し下げると吸盤も矢印４に示す垂直方向に押し下げられ、吸盤の気密室２はストッパー７による垂直方向への移動規制で止められるために押し潰されて真空となりグラスの底面に吸着する。
【手続補正５】
【補正対象書類名】明細書
【補正対象項目名】０００８
【補正方法】変更
【補正の内容】
【０００８】吸盤がグラスの底面に吸着した図５の状態で吸盤は真空状態で潰されており、ストッパーを吸盤の圧縮度合い、反発力などを考慮した距離だけ離して配置することにより、吸着解除により気密室に急激に空気が送り込まれて吸盤がグラスから離れる時に、反動によりグラスが押し上げられて倒れたり、再吸着することが防がれる。より解かりやすく説明をすれば、グラスが吸盤から離れるのではなく、吸盤がグラスから離れる動きをさせる。すなわち吸盤の膨らみ余裕を確保する。なおストパーは吸盤の垂直方向への移動、吸盤の水平方向への移動などを規制する機能などを備えるが、一体で構成されるとは限らず、たとえば垂直方向への移動規制として吸盤が備える軸をコースターの下面に押し当ててストッパーを構成すことも出来るとともに、水平方向への移動、脱落などを規制する機能は垂直方向への規制とはそれぞれ別体で構成しても良い。
【手続補正６】
【補正対象書類名】明細書
【補正対象項目名】０００９
【補正方法】変更
【補正の内容】
【０００９】図１に示す実施例では、コースターのプレート１２は厚さ０．５ｍｍのアルミで直径は９０ｍｍ、コースター全体の厚さは１３ｍｍ、吸盤はφ３０ｍｍの塩化ビニール、グラスクッションはスポンジゴム、連結材はナイロン紐、ストッパーは円筒形プラスチック、解除ボタンのバネ材はスポンジゴムで構成した。グラスクッションやバネ材はゴムや樹脂、金属バネでも良く、吸盤の剥離羽と連結材は一体で構成することも可能である。ストッパーに関しては、円筒に限るものではなく吸盤の押し下げ方向の規制、水平方向の規制などが実現されれば良く、たとえば吸盤の垂直方向への移動規制として吸盤が備える軸の移動をコースターの底板で規制してストッパーを構成することも出来る。解除構造に関しては、解除ボタンとはせずにコースターの上でグラスを斜めに傾けて押して剥離羽を作動させるなど剥離羽を作動させる方法は各種考えられる。さらに剥離羽は一つに限定されるものではなく、図７に示すごとく複数個配置してそれぞれに解除ボタンを設けて多方向から解除が出来るようにすることも可能であるなど、構造、機能、さらには形状、ディメンジョン、各種素材などは、本考案の趣旨を逸脱しない範囲であれば種々変形実施が可能である。